(57)【要約】【課題】加速を要するが明確な目標加速度を必要としないときに、自動運転車両の最適な走行を実現可能とする。【解決手段】自動運転車両１００は、自車両の周辺状況に基づき行動計画を生成する行動計画生成部４５と、生成された行動計画に応じて自車両が自動運転で走行するようにエンジン１と変速機２とを制御する走行制御部４６とを備える。行動計画生成部４５は、前方車両が存在しない等、自車両の明確な加速要求がないときは、目標車速まで燃費優先で加速させるような行動計画を生成する。このとき走行制御部４６は、エンジンの最大トルクの特性である第１特性とエンジンの正味燃料消費率が最小となるトルクの特性である第２特性との間のトルクであり、かつ、単位走行距離当たりの燃料消費量が最小となる目標トルクで自車両が目標車速まで加速走行するようにエンジンと変速機とを制御する。【選択図】図２
2019084917.tif 000002
【特許請求の範囲】
【請求項１】
自動運転機能を有するとともに、エンジンと該エンジンから駆動輪に到る動力伝達径路に配置された変速機とを有する自動運転車両を制御する車両制御装置であって、
前記自動運転車両の周辺状況を検出する周辺状況検出部と、
前記周辺状況検出部により検出された周辺状況に基づき、前記自動運転車両の行動計画を生成する行動計画生成部と、
前記行動計画生成部により生成された行動計画に応じて前記自動運転車両が自動運転で走行するように前記エンジンと前記変速機とを制御する走行制御部と、を備え、
前記行動計画生成部は、現時点から所定時間先までの前記自動運転車両の単位時間毎の位置データを少なくとも含む第１行動計画、および前記単位時間毎の位置データを含まずに前記自動運転車両の現車速から目標車速までの加速指令を含む第２行動計画のいずれかを生成し、
前記走行制御部は、前記行動計画生成部により前記第１行動計画が生成されると、前記自動運転車両が前記単位時間毎の位置データに沿って走行し、前記行動計画生成部により前記第２行動計画が生成されると、エンジン回転数に応じた最大トルクの特性である第１特性とエンジン回転数に応じた前記エンジンの正味燃料消費率が最小となるトルクの特性である第２特性との間のトルクであり、かつ、単位走行距離当たりの燃料消費量が最小となる目標トルクで前記自動運転車両が前記目標車速まで加速走行するように前記エンジンと前記変速機とを制御することを特徴とする車両制御装置。
【請求項２】
請求項１に記載の車両制御装置において、
前記自動運転車両が前記目標車速に到るまで前記第２特性上のトルクで走行したときの走行距離を基準走行距離とするとき、前記目標トルクは、前記第２特性上のトルクよりも大きく、かつ、前記自動運転車両が前記目標車速に到るまで加速走行し、その後、クルーズ走行して前記基準走行距離だけ走行するまでに消費される燃料量が最小となるときのトルクであることを特徴とする車両制御装置。
【請求項３】
請求項２に記載の車両制御装置において、
前記走行制御部は、前記行動計画生成部により前記第１行動計画が生成されると、現時点の車速と要求駆動力とに応じた作動点が予め定められたダウンシフト線を越えるとダウンシフトする一方、前記作動点に所定の余裕駆動力を加算した修正作動点が予め定められたアップシフト線を越えるとアップシフトするように前記変速機を制御し、前記行動計画生成部により前記第２行動計画が生成されると、現時点の車速が、前記ダウンシフト線の最低車速以上かつ前記アップシフト線の最低車速以下の範囲で予め定められた設定車速を越えるとアップシフトするように前記変速機を制御することを特徴とする車両制御装置。
【請求項４】
請求項３に記載の車両制御装置において、
前記走行制御部は、前記自動運転車両の走行抵抗を算出するとともに、この走行抵抗に基づいてアップシフト後の走行加速度が所定値以上であるか否かを判定し、前記所定値未満と判定すると、アップシフトを禁止することを特徴とする車両制御装置。
【請求項５】
請求項１〜４のいずれか１項に記載の車両制御装置において、
前記行動計画生成部は、前記周辺状況検出部により、前記自動運転車両の前方に自動走行の対象となる前方車両が検出されないとき、前記第２行動計画を生成することを特徴とする車両制御装置。
【発明の詳細な説明】
【技術分野】
【０００１】
本発明は、自動運転機能を有する車両を制御する車両制御装置に関する。
【背景技術】
【０００２】
この種の装置として、従来、目的地までの経路を含む行動計画を生成するとともに、その経路に沿って自車両が自動走行するように行動計画に基づいて自車両の変速比を制御する装置が知られている（例えば特許文献１参照）。この特許文献１記載の装置は、自動運転モードと手動運転モードとが選択可能に構成されるとともに、自動運転モードが選択される場合には手動運転モードが選択される場合よりも低車速側でアップシフトするように、自動運転モードと手動運転モードとで異なる変速線図を設定する。
【先行技術文献】
【特許文献】
【０００３】
特許文献１：特開２０１６−２２２１５０号公報
【発明の概要】
【発明が解決しようとする課題】
【０００４】
上記特許文献１記載の装置では、自動運転モード時に手動運転モード時とは異なる変速線図を設定することで、自動運転モード時の燃費の改善を図る。しかしながら、例えば周囲に車両が存在しない状態で設定車速まで緩やかに加速する等、自車両の要求駆動力を明確に設定する必要がない状況においては、さらなる燃費改善の余地がある。
【課題を解決するための手段】
【０００５】
本発明の一態様は、自動運転機能を有するとともに、エンジンとエンジンから駆動輪に到る動力伝達径路に配置された変速機とを有する自動運転車両を制御する車両制御装置であって、自動運転車両の周辺状況を検出する周辺状況検出部と、周辺状況検出部により検出された周辺状況に基づき、自動運転車両の行動計画を生成する行動計画生成部と、行動計画生成部により生成された行動計画に応じて自動運転車両が自動運転で走行するようにエンジンと変速機とを制御する走行制御部と、を備える。行動計画生成部は、現時点から所定時間先までの自動運転車両の単位時間毎の位置データを少なくとも含む第１行動計画、および単位時間毎の位置データを含まずに自動運転車両の現車速から目標車速までの加速指令を含む第２行動計画のいずれかを生成する。走行制御部は、行動計画生成部により第１行動計画が生成されると、自動運転車両が単位時間毎の位置データに沿って走行し、行動計画生成部により第２行動計画が生成されると、エンジン回転数に応じた最大トルクの特性である第１特性とエンジン回転数に応じたエンジンの正味燃料消費率が最小となるトルクの特性である第２特性との間のトルクであり、かつ、単位走行距離当たりの燃料消費率が最小となる目標トルクで自動運転車両が目標車速まで加速走行するようにエンジンと変速機とを制御する。
【発明の効果】
【０００６】
本発明によれば、加速を要するが明確な目標加速度を必要としないとき、単位走行距離当たりの燃料消費量を最小に抑えながら、自動運転車両を目標車速まで加速走行させることができる。
【図面の簡単な説明】
【０００７】
【図１】本発明の実施形態に係る車両制御装置が提供される自動運転車両の走行系の概略構成を示す図。
【図２】本発明の実施形態に係る車両制御装置の全体構成を示すブロック図。
【図３】図２の行動計画生成部で生成された行動計画の一例を示す図。
【図４】変速動作の基準となるシフトマップの一例を示す図。
【図５】加速走行時の問題点を説明するためのタイミングチャートを示す図。
【図６】図２の演算部で実行される処理の一例を示すフローチャート。
【図７】図６のお任せ加速処理の一例を示すフローチャート。
【図８】図１のエンジンの性能曲線の一例を示す図。
【図９】図６のお任せ加速処理の際に用いられるアップシフト線の一例を示す図。
【図１０】ＢＳＦＣボトムトルクにより目標車速まで加速する場合および最大トルクにより目標車速まで加速する場合のそれぞれの車速の時間変化の一例を示す図。
【図１１】ＢＳＦＣボトムトルクにより目標車速まで加速する場合および最大トルクにより目標車速まで加速する場合のそれぞれの燃料消費量の時間変化の一例を示す図。
【図１２】お任せ加速処理により加速走行する場合のタイミングチャートの一例を示す図。
【図１３】お任せ加速処理により加速走行する場合のタイミングチャートの他の例を示す図。
【発明を実施するための形態】
【０００８】
以下、図１〜図１３を参照して本発明の実施形態について説明する。本発明の実施形態に係る車両制御装置は、自動運転機能を有する車両（自動運転車両）に適用される。図１は、本実施形態に係る車両制御装置が適用される自動運転車両（他車両と区別して自車両と呼ぶこともある）の走行系の概略構成を示す図である。自車両は、ドライバによる運転操作が不要な自動運転モードでの走行だけでなく、ドライバの運転操作による手動運転モードでの走行も可能である。
【０００９】
図１に示すように、自車両は、エンジン１と、変速機２とを有する。エンジン１は、スロットルバルブ１１を介して供給される吸入空気とインジェクタ１２から噴射される燃料とを適宜な割合で混合し、点火プラグ等により点火して燃焼させ、これにより回転動力を発生する内燃機関（例えばガソリンエンジン）である。なお、ガソリンエンジンに代えてディーゼルエンジン等、各種エンジンを用いることもできる。吸入空気量はスロットルバルブ１１により調節され、スロットルバルブ１１の開度は、電気信号により作動するスロットル用アクチュエータ１３の駆動によって変更される。スロットルバルブ１１の開度およびインジェクタ１２からの燃料の噴射量（噴射時期、噴射時間）はコントローラ４０（図２）により制御される。
【００１０】
変速機２は、エンジン１と駆動輪３との間の動力伝達径路に設けられ、エンジン１からの回転を変速し、かつエンジン１からのトルクを変換して出力する。変速機２で変速された回転は駆動輪３に伝達され、これにより車両が走行する。なお、エンジン１に加えて駆動源としての走行用モータを設け、ハイブリッド自動車として自車両を構成することもできる。
【００１１】
変速機２は、例えば複数の変速段（例えば６段）に応じて変速比を段階的に変更可能な有段変速機である。なお、変速比を無段階に変更可能な無段変速機を変速機２として用いることもできる。図示は省略するが、トルクコンバータを介してエンジン１からの動力を変速機２に入力してもよい。変速機２は、例えばドグクラッチや摩擦クラッチなどの係合要素２１を備え、油圧制御装置２２が係合要素２１への油の流れを制御することにより、変速機２の変速段を変更することができる。油圧制御装置２２は、電気信号により作動する変速用アクチュエータ２３を有し、変速用アクチュエータ２３の作動に応じて係合要素２１への圧油の流れを変更することで、適宜な変速段を設定できる。
【００１２】
図２は、本発明の実施形態に係る車両制御装置１００の全体構成を概略的に示すブロック図である。図１に示すように、車両制御装置１００はコントローラ４０を中心として構成され、コントローラ４０と、コントローラ４０にそれぞれ電気的に接続された外部センサ群３１と、内部センサ群３２と、入出力装置３３と、ＧＰＳ受信機３４と、地図データベース３５と、ナビゲーション装置３６と、通信ユニット３７と、アクチュエータＡＣとを主に有する。
【００１３】
外部センサ群３１は、自車両の周辺情報である外部状況を検出する複数のセンサの総称である。例えば外部センサ群３１には、自車両の全方位の照射光に対する散乱光を測定して自車両から周辺の障害物までの距離を測定するライダ、ＣＣＤやＣＭＯＳ等の撮像素子を有して自車両の周辺（前方、後方および側方）を撮像する車載カメラ、電磁波を照射し反射波を検出することで自車両の周辺の他車両や障害物等を検出するレーダなどが含まれる。
【００１４】
内部センサ群３２は、自車両の走行状態を検出する複数のセンサの総称である。例えば内部センサ群３２には、エンジンの回転数を検出するエンジン回転数センサ、自車両の車速を検出する車速センサ、自車両の前後方向の加速度および左右方向の加速度をそれぞれ検出する加速度センサ、自車両の重心の鉛直軸回りの回転角速度を検出するヨーレートセンサ、スロットルバルブ１１の開度（スロットル開度）を検出するセンサなどが含まれる。手動運転モードでのドライバの運転操作、例えばアクセルペダルの操作、ブレーキペダルの操作、ステアリングの操作等を検出するセンサも内部センサ群３２に含まれる。
【００１５】
入出力装置３３は、ドライバから指令が入力されたり、ドライバに対し情報が出力されたりする装置の総称である。例えば入出力装置３３は、ドライバが各種指令を入力するスイッチ等の操作部材、ドライバが音声で指令を入力するマイク、ドライバに表示画像を介して情報を提供するディスプレイ、ドライバに音声で情報を提供するスピーカ等を有する。操作部材には、自動運転モードおよび手動運転モードのいずれかを指令するモード選択スイッチが含まれる。
【００１６】
ＧＰＳ受信機３４は、複数のＧＰＳ衛星からの測位信号を受信し、これにより自車両の絶対位置（緯度、経度など）を測定する。
【００１７】
地図データベース３５は、ナビゲーション装置３６に用いられる一般的な地図情報を記憶する装置であり、例えばハードディスクにより構成される。地図情報には、道路の位置情報、道路形状（曲率など）の情報、交差点や分岐点の位置情報が含まれる。なお、地図データベース３５に記憶される地図情報は、コントローラ４０の記憶部４２に記憶される高精度な地図情報とは異なる。
【００１８】
ナビゲーション装置３６は、ドライバにより入力された目的地までの道路上の目標経路を探索するとともに、目標経路に沿った案内を行う装置である。目的地の入力および目標経路に沿った案内は、入出力装置３３を介して行われる。目標経路は、ＧＰＳ受信機３４により測定された自車両の現在位置と、地図データベース３５に記憶された地図情報とに基づいて演算される。
【００１９】
通信ユニット３７は、インターネット回線などの無線通信網を含むネットワークを介して図示しない各種サーバと通信し、地図情報および交通情報などを定期的に、あるいは任意のタイミングでサーバから取得する。取得した地図情報は、地図データベース３５や記憶部４２に出力され、地図情報が更新される。取得した交通情報には、渋滞情報や、信号が赤から青に変わるまでの残り時間等の信号情報が含まれる。
【００２０】
アクチュエータＡＣは、車両の走行を制御するために設けられる。アクチュエータＡＣには、エンジン１のスロットル開度を調整するスロットル用アクチュエータ１３、変速機２の変速段を変更する変速用アクチュエータ２３、制動装置を作動するブレーキ用アクチュエータ、およびステアリング装置を駆動する操舵アクチュエータが含まれる。
【００２１】
コントローラ４０は、電子制御ユニット（ＥＣＵ）により構成される。なお、エンジン制御用ＥＣＵ、変速機制御用ＥＣＵ等、機能の異なる複数のＥＣＵの集合としてコントローラ４０を構成することもできる。コントローラ４０は、ＣＰＵ等の演算部４１と、ＲＯＭ，ＲＡＭ，ハードディスク等の記憶部４２と、図示しないその他の周辺回路とを有するコンピュータを含んで構成される。
【００２２】
記憶部４２には、車線の中央位置の情報や車線位置の境界の情報等を含む高精度の詳細な地図情報が記憶される。より具体的には、地図情報として、道路情報、交通規制情報、住所情報、施設情報、電話番号情報等が記憶される。道路情報には、高速道路、有料道路、国道などの道路の種別を表す情報、道路の車線数、各車線の幅員、道路の勾配、道路の３次元座標位置、車線のカーブの曲率、車線の合流ポイントおよび分岐ポイントの位置、道路標識等の情報が含まれる。交通規制情報には、工事等により車線の走行が制限または通行止めとされている情報などが含まれる。記憶部４２には、変速動作の基準となるシフトマップも記憶される。
【００２３】
演算部４１は、機能的構成として、自車位置認識部４３と、外界認識部４４と、行動計画生成部４５と、走行制御部４６とを有する。
【００２４】
自車位置認識部４３は、ＧＰＳ受信機３４で受信した自車両の位置情報および地図データベース３５の地図情報に基づいて、地図上の自車両の位置（自車位置）を認識する。記憶部４２に記憶された地図情報（建物の形状などの情報）と、外部センサ群３１が検出した車両の周辺情報とを用いて自車位置を認識してもよく、これにより自車位置を高精度に認識することができる。なお、道路上や道路脇の外部に設置されたセンサで自車位置を測定可能であるとき、そのセンサと通信ユニット３７を介して通信することにより、自車位置を高精度に認識することもできる。
【００２５】
外界認識部４４は、カメラ、ライダ、レーダ等の外部センサ群３１からの信号に基づいて自車両の周囲の外部状況を認識する。例えば自車両の周辺を走行する周辺車両の位置や速度や加速度、自車両の周囲に停車または駐車している周辺車両の位置、および他の物体の位置や状態などを認識する。他の物体には、標識、信号機、道路の境界線や停止線、建物、ガードレール、電柱、看板、歩行者、自転車等が含まれる。他の物体の状態には、信号機の色（赤、青、黄）、歩行者や自転車の移動速度や向きなどが含まれる。
【００２６】
行動計画生成部４５は、例えばナビゲーション装置３６で演算された目標経路と、自車位置認識部４３で認識された自車位置と、外界認識部４４で認識された外部状況とに基づいて、現時点から所定時間先までの自車両の走行軌道（目標軌道）を生成する。目標経路上に目標軌道の候補となる複数の軌道が存在するときには、行動計画生成部４５は、その中から法令を順守し、かつ効率よく安全に走行する等の基準を満たす最適な軌道を選択し、選択した軌道を目標軌道とする。そして、行動計画生成部４５は、生成した目標軌道に応じた行動計画を生成する。
【００２７】
行動計画には、現時点から所定時間Ｔ（例えば５秒）先までの間に単位時間Δｔ（例えば０．１秒）毎に設定される走行計画データ、すなわち単位時間Δｔ毎の時刻に対応付けて設定される走行計画データが含まれる。走行計画データは、単位時間Δｔ毎の自車両の位置データと車両状態のデータとを含む。位置データは、例えば道路上の２次元座標位置を示すデータであり、車両状態のデータは、車速を表す車速データと自車両の向きを表す方向データなどである。車両状態のデータは、単位時間Δｔ毎の位置データの変化から求めることができる。走行計画は単位時間Δｔ毎に更新される。
【００２８】
図３は、行動計画生成部４５で生成された行動計画の一例を示す図である。図３では、自車両１０１が車線変更して前方車両１０２を追い越すシーンの走行計画が示される。図３の各点Ｐは、現時点から所定時間Ｔ先までの単位時間Δｔ毎の位置データに対応し、これら各点Ｐを時刻順に接続することにより、目標軌道１０３が得られる。
【００２９】
走行制御部４６は、自動運転モードにおいて、行動計画生成部４５で生成された目標軌道１０３に沿って自車両が走行するように各アクチュエータＡＣを制御する。すなわち、単位時間Δｔ毎に図３の点Ｐを自車両１０１が通過するように、スロットル用アクチュエータ１３、変速用アクチュエータ２３、ブレーキ用アクチュエータ、および操舵アクチュエータを制御する。なお、手動運転モードでは、走行制御部４６は、内部センサ群３２により取得されたドライバからの走行指令に応じて各アクチュエータＡＣを制御する。
【００３０】
変速用アクチュエータ２３の制御に関し、走行制御部４６は、行動計画生成部４５で生成された行動計画のうち、車速の推移を示すデータに基づいて、自車両の加速度を算出する。さらに、道路勾配などにより定まる走行抵抗を考慮してその加速度を得るための要求駆動力を算出する。そして、予め記憶部４２に記憶された、変速動作の基準となるシフトマップを用いて、変速機２の変速動作を制御する。なお、加速度は加速時にプラス、減速時にマイナスの値となる。
【００３１】
図４はシフトマップの一例を示す図である。図中、横軸は車速Ｖ、縦軸は要求駆動力Ｆである。なお、要求駆動力Ｆはアクセル開度（自動運転モードでは擬似的アクセル開度）またはスロットル開度に一対一で対応し、アクセル開度またはスロットル開度が大きくなるに従い要求駆動力Ｆは大きくなる。したがって、縦軸をアクセル開度またはスロットル開度に読み替えることもできる。特性ｆ１（実線）は、ｎ段からｎ＋１段へのアップシフトに対応するアップシフト線の一例であり、特性ｆ２（点線）は、ｎ＋１段からｎ段へのダウンシフトに対応するダウンシフト線の一例である。
【００３２】
図４に示すように、例えば作動点Ｑ１からのダウンシフトに関し、車速Ｖが一定のまま要求駆動力Ｆが増加して、作動点Ｑ１がダウンシフト線（特性ｆ２）を超えると（矢印Ａ）、変速機２がｎ＋１段からｎ段へとダウンシフトする。一方、例えば作動点Ｑ２からのアップシフトに関し、要求駆動力Ｆが一定のまま車速Ｖが増加し、作動点Ｑ２の要求駆動力Ｆに所定の余裕駆動力Ｆａを加算した作動点Ｑ３がアップシフト線（特性ｆ１）を越えると（矢印Ｂ）、変速機２はｎ段からｎ＋１段へとアップシフトする。
【００３３】
すなわち、アップシフトに関しては、見かけ上の要求駆動力Ｆを余裕駆動力Ｆａの分だけ高めて、余裕駆動力Ｆａが０の場合（作動点Ｑ２）よりもアップシフトするタイミングを遅らせ、変速機２をアップシフトしにくい状態にする。これによりシフトダウンとシフトアップとが頻繁に起こるシフトビジーの状態、すなわちシフトハンチングを防止することができる。なお、余裕駆動力Ｆａは、一定値でもよく、車速や要求駆動力をパラメータとした可変値でもよい。
【００３４】
このように構成された車両制御装置１００において、走行制御部４６は、目標軌道１０３（図３）上の単位時間Δｔ毎の各点Ｐの車速（目標車速）に基づいて、単位時間Δｔ毎の加速度（目標加速度）および要求駆動力を算出する。そして、例えば内部センサ群３２により検出された実加速度が目標加速度となるようにアクチュエータＡＣをフィードバック制御する。このとき、要求駆動力に余裕駆動力Ｆａを加算してアップシフトを制限することで、走行中の若干の道路勾配の変化により実加速度が変化し、それに応じて要求駆動力が変化しても、シフトビジーとならずにすむ。
【００３５】
ところで、自動運転走行には、明確な要求駆動力が必要とされない状況がある。例えば、自車両の周囲に車両が存在しない場合、より具体的には、外部センサ群３１が前方車両の存在を認識しない場合、あるいは認識したとしても、自車両と前方車両との間の距離が所定値以上で、追従走行や追い越し走行などの前方車両を対象とした自動走行を行うことができない場合には、前方車両の存在を前提とした明確な要求駆動力が必要とされない。この場合に、要求駆動力を設定して自車両を設定車速（目標車速）まで加速するように構成すると、以下のような問題を生じるおそれがある。
【００３６】
図５は、前方車両等が存在しない状況で車速を目標車速Ｖａまで加速する場合における、車速Ｖ、要求駆動力Ｆ、変速段、エンジン回転数ＮｅおよびエンジントルクＴｅの時間経過に伴う変化の一例を示すタイミングチャートである。すなわち、図５は、将来の自車両の位置データと車速データとを含む行動計画に基づいた車両走行の一例であり、このとき、図５に示すように、目標加速度を実現するための要求駆動力Ｆが生成される。
【００３７】
この要求駆動力Ｆには、上述したようにシフトビジーを回避するために余裕駆動力Ｆａが加算され、余裕駆動力Ｆａ加算後の要求駆動力に基づいて変速機２がアップシフトされる。このため、アップシフトのタイミングが遅れ、アップシフトの時点ｔ１１，ｔ１２，ｔ１３のエンジン回転数が増大する。このため、自車両の乗員にとって、緩加速であるにも拘らずエンジン回転数が高いことに対する違和感が大きい。また、エンジン回転数の増大により、騒音も増大し、乗員にとっての快適性を損なう。このような問題を解消するため、本実施形態では、以下のように車両制御装置１００を構成する。
【００３８】
図６は、予め記憶部４２（図２）に記憶されたプログラムに従い演算部４１で実行される処理の一例を示すフローチャートである。このフローチャートに示す処理は、例えば自動運転モードが選択されると開始され、所定周期で繰り返される。
【００３９】
まず、ステップＳ１で、内部センサ群３２（車速センサ）により検出された現在の自車両の車速Ｖが目標車速Ｖａよりも低いか否かを判定する。目標車速Ｖａは、例えば道路の法定速度に設定される。前方車両に対し追従走行を行う場合には、前方車両の車速に基づいて目標車速Ｖａが設定される。加速走行時にはステップＳ１で肯定されてステップＳ２に進む。一方、クルーズ走行または減速走行時にはステップＳ１で否定されてステップＳ４に進む。
【００４０】
ステップＳ２では、外部センサ群３１からの信号に基づき外界認識部４４で前方車両が認識されたか否かを判定する。ステップＳ２で肯定されるとステップＳ３に進み、否定されるとステップＳ４に進む。ステップＳ３では、行動計画生成部４５で生成された行動計画（位置データ、車速データ）に基づいて目標加速度が設定されているか否かを判定する。例えば、前方車両の追い越しという行動計画に従い、自車両が車線変更して加速するとき、車線変更後に前方車両は存在しないが目標加速度は設定される。この場合、ステップＳ３で肯定されてステップＳ４に進む。
【００４１】
ステップＳ４では、走行制御部４６が通常の加速処理（通常制御）を行う。すなわち、行動計画生成部４５により生成された行動計画に従って自車両が走行するように、走行制御部４６は、アクチュエータＡＣ（スロットル用アクチュエータ１３、変速用アクチュエータ２３等）に制御信号を出力し、エンジン１や変速機２の駆動を制御する。これにより、例えば変速機２は、シフトマップ（図４）に基づいてダウンシフトまたはアップシフトする。特にアップシフトに関しては、要求駆動力に余裕駆動力Ｆａを加算するため、シフトビジーを回避できる。
【００４２】
一方、ステップＳ３で否定されるとステップＳ５に進む。ステップＳ５では、走行制御部４６が燃費の向上や騒音レベルの改善を実現しうる加速処理（お任せ加速処理）を行う。お任せ加速処理は、前方車両が不存在で追い越し等の明確な加速要求がないときに、予め記憶部４２に記憶された最低加速度以上の加速度で、自車両を目標車速Ｖａまで加速するための処理である。図７は、ステップＳ５のお任せ加速処理の一例を示すフローチャートである。このフローチャートに示す処理は、予め記憶部４２に記憶されたエンジン１の性能曲線を用いて行われる。
【００４３】
図８は、エンジン回転数ＮｅとエンジントルクＴｅとの関係を示すエンジン性能曲線の一例、特に、エンジン回転数Ｎｅが低速域から中速域にかけての領域（Ｎｅ１≦Ｎｅ≦Ｎｅ２）におけるエンジン性能曲線の一例を示す図である。なお、Ｎｅ１は例えばエンジン１のアイドル回転数である。図８には、エンジン効率の等しい点を結んだ複数の等効率線（エンジン効率マップ）が併せて示される。最も内側の等効率線の中心付近に、エンジン効率の最も高い最高効率点Ｐａがあり、最高効率点Ｐａから外側に向かうにつれてエンジン効率は低下する。
【００４４】
図中の特性ｆ１１は、エンジン１の最大トルクを表す特性である。特性ｆ１２は、正味燃料消費率（ＢＳＦＣ）が最小となるトルク（ＢＳＦＣボトムトルク）を表す特性である。換言すると、特性ｆ１２は、エンジン回転数が変化したときのエンジン効率が最適になるエンジントルクを結んだ線である。
【００４５】
お任せ加速処理においては、エンジン回転数が低い状態で変速機２をアップシフトさせる。このため、本実施形態では、お任せ加速処理に適したアップシフト用のシフトマップが、通常のシフトマップ（図４）とともに予め記憶部４２に記憶される。
【００４６】
図９は、お任せ加速処理におけるｎ段からｎ＋１段へのアップシフトを規定するアップシフト線の特性ｆ３の一例を示す図である。この特性ｆ３は、図４の特性ｆ１、ｆ２に基づいて設定される。すなわち、特性ｆ１によって規定されるアップシフトの最低車速Ｖ１と、特性ｆ２によって特定されるダウンシフトの最低車速Ｖ２との間の斜線で示す領域内に、特性ｆ３を設定する。例えば、車速Ｖ１に特性ｆ３を設定する。これにより、実車速ＶがＶ１を越えると、変速機２はｎ段からｎ＋１段へとアップシフトする。なお、アップシフト線（特性ｆ３）上の車速をアップシフト車速と呼ぶ。
【００４７】
図示は省略するが、ｎ＋１段からｎ＋２段へとアップシフトする際のアップシフト線は、特性ｆ３をさらに高車速側にシフトさせたものである。すなわち、変速段が高速段に推移するにつれて、アップシフト車速は高速側にシフトする。各変速段のアップシフト車速は、例えば所定の走行抵抗に対し、各変速段で互いに同一またはほぼ同一のエンジン回転数（図８のＮｅ３）でアップシフトするような値に設定される。これにより、自車両は、エンジン回転数が所定値Ｎｅ３以下の低回転数域で加速走行する。
【００４８】
図１０は、お任せ加速処理により現在の車速Ｖ０から目標車速Ｖａまで自車両を加速する場合の車速Ｖの時間変化の一例を示す図である。図中の特性ｆ２１は、ＢＳＦＣボトムトルク（図８の特性ｆ１２）により加速する例であり、特性ｆ２２は、最大トルク（図８の特性ｆ１１）により加速する例である。ＢＳＦＣボトムトルクは、最大トルクよりも小さいため、ＢＳＦＣボトムトルクにより加速する場合は、最大トルクにより加速する場合よりも加速度（特性の傾き）が小さい。
【００４９】
したがって、最大トルクで加速する場合は、時点ｔ２１で目標車速Ｖａに到るのに対し、ＢＳＦＣボトムトルクで加速する場合は、時点ｔ２１よりも後の時点ｔ２３（基準時間と呼ぶ）で目標車速Ｖａに到る。このとき、目標車速Ｖａに到るまでのＢＳＦＣボトムトルクによる走行距離（基準距離Ｌａと呼ぶ）は、特性ｆ２１の下側の斜線領域の面積に相当する。最大トルクで加速する場合、目標車速Ｖａに到達後に目標車速Ｖａで定速走行（クルーズ走行）する。このため、基準時間の時点ｔ２３よりも早い時点ｔ２２で基準距離Ｌａだけ走行する。
【００５０】
図１１は、お任せ加速処理により加速走行して基準距離Ｌａだけ走行した場合の燃料消費量Ｑｆの時間変化の一例を示す図である。なお、燃料消費量Ｑｆを基準距離Ｌａで除算して縦軸を燃料消費率に置き換えても同様の特性が得られる。図１１で、特性ｆ３１は、ＢＳＦＣボトムトルクで加速する例（図１０の特性ｆ２１に対応）であり、特性ｆ３２は、最大トルクで加速する例（図１０の特性ｆ２２に対応）である。ＢＳＦＣボトムトルクで加速する場合は、時点ｔ２３まで一定の割合（燃料消費率）で燃料が消費され、最終的な燃料消費量ＱｆはＱｆ１となる。
【００５１】
一方、最大トルクで加速する場合、目標車速Ｖａに到る時点ｔ２１までの単位時間当たりの燃料消費量は、ＢＳＦＣボトムトルクで加速する場合の単位時間当たりの燃料消費量よりも多い。しかし、時点ｔ２１〜時点ｔ２２においては、自車両がクルーズ走行するため、エンジントルクＴｅは小さい。したがって、この間（ｔ２１〜ｔ２２）の単位時間当たりの燃料消費量は少なく、結果として、基準距離Ｌａだけ走行した場合の燃料消費量ＱｆはＱｆ２となる。
【００５２】
図１１の例では、最大トルクで加速した場合の方が、ＢＳＦＣボトムトルクで加速した場合よりも燃料消費量が少ない（Ｑｆ２＜Ｑｆ１）。しかし、例えば図１１の特性ｆ３３（点線）に示すように、ＢＳＦＣボトムトルクと最大トルクとの間のトルクで加速した場合には、燃料消費量ＱｆがＱｆ２よりもさらに少なくなることがある。すなわち、基準距離Ｌａだけ走行するのに必要な燃料消費量Ｑｆは、現在の車速Ｖ０と目標車速Ｖａとの差などによって定まり、図８のＢＳＦＣボトムトルク（特性ｆ１２）と最大トルク（特性ｆ１１）との間のあるトルクで自車両を走行させたときに、燃料消費量が最小となる。そこで、本実施形態では、燃料消費量が最小となるトルク（目標トルクＴｅａ）を求めるとともに、目標トルクＴｅａで自車両を走行させるように図７のお任せ加速処理を実行する。
【００５３】
まず、ステップＳ１１で、図８のＢＳＦＣボトムトルク（特性ｆ１２）により自車両を目標車速Ｖａまで加速すると仮定した場合の走行距離（基準距離Ｌａ）を算出する。基準距離Ｌａの算出にあたっては、まず、ＢＳＦＣボトムトルクでアップシフト車速（例えば図９のＶ１）まで加速して現在の変速段（ｎ段）から次の変速段（ｎ＋１段）にアップシフトするまでの走行距離を算出する。このとき、エンジントルクＴｅを一定とすると、エンジン回転数Ｎｅは増加するが、ここでは計算を容易にするために、その変速段（ｎ段）での平均的なエンジン回転数を用いる。次いで、次の変速段（ｎ＋１段）でアップシフト車速まで加速してさらに次の変速段（ｎ＋２段）にアップシフトするまでの走行距離を算出する。この場合も、その変速段（ｎ＋１段）での平均的なエンジン回転数を用いる。以上を、車速Ｖが目標車速Ｖａに到るまで変速段をアップしながら繰り返し、各変速段での走行距離を加算して基準距離Ｌａを算出する。
【００５４】
次いで、ステップＳ１２で、所定のエンジントルク（加速トルク）で基準距離Ｌａまで走行すると仮定した場合の燃料消費量Ｑｆを算出する。この場合の加速トルクは、ＢＳＦＣボトムトルクから最大トルクの範囲で適宜設定される。例えばステップＳ１１の処理が完了した直後は、加速トルクとしてＢＳＦＣボトムトルクが設定され、ＢＳＦＣボトムトルクにより目標車速Ｖａまで加速走行すると仮定した場合の燃料消費量Ｑｆ１を、エンジン効率マップなどに基づいて算出する。一方、例えば加速トルクとして最大トルクが設定された場合は、図１１に示すように最大トルクにより目標車速Ｖａまで加速走行するときの燃料消費量と、基準距離Ｌａに到るまでクルーズ走行するときの燃料消費量とを、それぞれエンジン効率マップなどに基づいて算出し、両者を加算することで、全体の燃料消費量Ｑｆ２を算出する。
【００５５】
次いで、ステップＳ１３で、加速トルクに所定の増分トルクΔＴｅを加算し、加速トルクを更新する。増分トルクΔＴｅは、例えば最大トルクとＢＳＦＣボトムトルクとの差を所定数で除算して得られる。なお、増分トルクΔＴｅを、予め定められた固定値としてもよい。
【００５６】
次いで、ステップＳ１４で、ステップＳ１３で更新された加速トルクが最大トルクよりも大きいか否かを判定する。ステップＳ１４で否定されるとステップＳ１２に戻り、同様の処理を繰り返す。これによりステップＳ１２で、ＢＳＦＣボトムトルクから最大トルクにかけて、増分トルクΔＴｅを加算した加速トルク毎の燃料消費量Ｑｆが算出される。ステップＳ１４で肯定されるとステップＳ１５に進む。
【００５７】
ステップＳ１５では、ステップＳ１２で算出された燃料消費量Ｑｆのうち、燃料消費量Ｑｆが最少となる加速トルクを、目標トルクＴｅａとして決定する。以上のステップＳ１１〜ステップＳ１５の処理は、例えば行動計画生成部４５で実行され、目標トルクＴｅａは、現在の実車速（現車速）Ｖ０から目標車速Ｖａまでの加速指令として、行動計画生成部４５が生成する行動計画に含まれる。次のステップＳ１６では、走行制御部４６が、エンジントルクが目標トルクＴｅａとなるようにスロットル用アクチュエータ１３およびインジェクタ１２に制御信号を出力し、エンジン１を制御する。
【００５８】
次のステップＳ１７では、走行制御部４６が、自車両の車速Ｖに応じて変速用アクチュエータ２３に制御信号を出力し、変速機２を制御する。具体的には、車速センサ（内部センサ群３２）により検出された実車速Ｖがアップシフト車速（図９の特性ｆ３）を越えると、変速用アクチュエータ２３に制御信号を出力し、変速機２をアップシフトさせる。
【００５９】
但し、変速機２をアップシフトさせると自車両の実駆動力が低下するため、予め定めた最低加速度以上の加速度で自車両を加速走行させることができないおそれがある。したがって、走行制御部４６は、アップシフト前に、現在の実駆動力と実加速度等を用いて、車速Ｖや道路勾配等に応じて変化する自車両の走行抵抗を算出するとともに、アップシフト後に予想される実駆動力と走行抵抗とから、アップシフト後に最低加速度以上の加速度が得られるか否かを判定する。そして、最低加速度以上の加速度が得られないと判定すると、アップシフトを禁止する。これにより、アップシフト後に加速できなくなるという事態を避けることができる。
【００６０】
次いで、ステップＳ１８で、現車速Ｖが目標車速Ｖａに到達したか否かを判定する。なお、ステップＳ１８で、現車速Ｖと目標車速Ｖａとの差が所定値以下になったか否かを判定するようにしてもよい。ステップＳ１８で否定されるとステップＳ１６に戻り、現車速Ｖが目標車速Ｖａに到るまで同様の処理が繰り返される。ステップＳ１８で肯定されると、お任せ加速処理を終了し、以降、目標軌道に沿った位置データ等を含む行動計画に従い車両が制御（通常制御）される。これにより、例えば自車両は目標車速Ｖａでクルーズ走行する。
【００６１】
通常制御への移行により要求駆動力が設定される。このとき、初期の要求駆動力は、お任せ加速処理終了時の実駆動力から開始されることが好ましい。これにより、実駆動力の急激な変化を抑え、自車両のショックを低減することができる。
【００６２】
図１２は、お任せ加速処理により目標車速Ｖａまで加速する場合における、車速Ｖ、要求駆動力Ｆ（実線）または実駆動力Ｆｂ（点線）、変速段、エンジン回転数ＮｅおよびエンジントルクＴｅの時間経過に伴う変化の一例を示すタイミングチャートである。特に図１２は、自車両が平坦路を走行する場合の例であり、走行抵抗がＦｒで示される。
【００６３】
時点ｔ３１で、例えば前方車両がいなくなりお任せ加速制御（ステップＳ５）が開始されると、燃料消費量Ｑｆが最小となる目標トルクＴｅａが決定され（ステップＳ１５）、自車両がＢＳＦＣボトムトルクと最大トルクとの間の目標トルクＴｅａで走行するようにエンジン１が制御される（ステップＳ１６）。これにより実駆動力Ｆｂが増大し、車速Ｖが徐々に増加するとともに、エンジン回転数Ｎｅも増加する。車速Ｖが現変速段のアップシフト車速まで増加すると、変速機２がアップシフトする（ステップＳ１７）。このときのアップシフト車速は、アップシフトが可能な最低車速であり（図９）、変速機２が早期にアップシフトすることで、エンジン回転数Ｎｅの増大が抑えられる。なお、お任せ加速処理によるアップシフトのエンジン回転数Ｎｅ３は、通常制御でのアップシフトのエンジン回転数Ｎｅ４（図５）よりも低い。
【００６４】
エンジントルク一定で変速機２がアップシフトすると、実駆動力Ｆｂが減少するが、実駆動力Ｆｂは走行抵抗Ｆｒよりも大きいため、自車両は加速走行を継続するする。時点ｔ３２で実車速Ｖが目標車速Ｖａに到達すると（厳密には実車速と目標車速Ｖａとの差が所定値以下になると）、お任せ加速処理が終了し、通常制御に移行する。通常制御では、例えば目標車速Ｖａでのクルーズ走行などの行動計画に基づいて単位時間Δｔ毎の要求駆動力Ｆを算出するとともに、要求駆動力Ｆを発生するようにエンジン１と変速機２とが制御される。通常制御が開始する時点ｔ３２では、お任せ加速処理終了時の実駆動力Ｆｂを要求駆動力Ｆとしてエンジン１と変速機２とが制御される。
【００６５】
図１３は、自車両が登坂路を走行する場合の車速Ｖ、要求駆動力Ｆ（実線）または実駆動力Ｆｂ（点線）、変速段、エンジン回転数ＮｅおよびエンジントルクＴｅの時間経過に伴う変化の一例を示すタイミングチャートの一例である。図１３でも、図１２と同様、時点ｔ３１から時点ｔ３２にかけてお任せ加速処理が実行される。但し、図１３の例は図１２の例よりも走行抵抗Ｆｒが大きく、実車速Ｖが目標車速Ｖａに到る前の時点ｔ３３において、仮に変速機２をアップシフトすると（点線）、アップシフト後の実駆動力Ｆｂ１が走行抵抗Ｆｒを下回り、自車両が加速走行することができない。このため、時点ｔ３３では、アップシフトを禁止し、走行抵抗Ｆｒよりも大きい実駆動力Ｆｂ２で、目標車速Ｖａに到るまで自車両を加速走行させる。
【００６６】
本実施形態によれば以下のような作用効果を奏することができる。
（１）車両制御装置１００は、自動運転機能を有するとともに、エンジン１とエンジン１から駆動輪３に到る動力伝達径路に配置された変速機２とを有する自動運転車両を制御する（図２）。この車両制御装置１００は、自車両の周辺状況を検出する外部センサ群３１および外界認識部４４と、検出された周辺状況に基づき自車両の行動計画を生成する行動計画生成部４５と、生成された行動計画に応じて自車両が自動運転で走行するようにエンジン１と変速機２とを制御する走行制御部４６と、を備える（図２）。行動計画生成部４５は、現時点から所定時間Ｔ先までの自車両の単位時間Δｔ毎の位置データを少なくとも含む行動計画（通常制御用の行動計画）、および単位時間Δｔ毎の位置データを含まずに自車両の現車速Ｖ０から目標車速Ｖａまでの加速指令（目標トルクＴｅａ）を含む行動計画（お任せ加速処理用の行動計画）のいずれかを生成する。走行制御部４６は、行動計画生成部４５により通常制御用の行動計画が生成されると、自車両が単位時間Δｔ毎の位置データに沿って走行するようにエンジン１と変速機２とを制御する。一方、走行制御部４６は、行動計画生成部４５によりお任せ加速処理用の行動計画が生成されると、エンジン回転数Ｎｅに応じた最大トルクの特性ｆ１１とＢＳＦＣボトムトルクの特性ｆ１２との間のトルクであり、かつ、基準距離Ｌａだけ走行するときの燃料消費量、すなわち単位走行距離当たりの燃料消費量が最小となる目標トルクＴｅａで自車両が目標車速Ｖａまで加速走行するようにエンジン１と変速機２とを制御する（図７，８）。
【００６７】
すなわち、本実施形態では、お任せ加速処理において、要求駆動力を定めずに、燃料消費量が最小となる目標トルクＴｅａによりエンジン１を駆動し、実車速Ｖを目標車速Ｖａまで上昇させる。要求駆動力（走行加速度）を実現するためには燃費を悪化させるような余計な加速トルクを発生するおそれがあるが、本実施形態ではそもそも要求駆動力を定めないため、そのような余計な加速トルクは発生しない。そして、目標トルクＴｅａは、ＢＳＦＣボトムトルクと最大トルクとの間に設定されるため、目標車速Ｖａまで加速して基準距離Ｌａを走行するのに要する燃料消費量を、最小限に抑えることができる。また、エンジン回転数が低く抑えられため、騒音を抑えることができる。このように本実施形態によれば、お任せ加速モードで、エンジン１の高トルク低回転での加速走行が行われ、燃費を改善、かつ、エンジン騒音を抑えた自動運転車両にとっての最適な加速走行を実現できる。
【００６８】
（２）自車両が目標車速Ｖａに到るまで特性ｆ１２上のＢＳＦＣボトムトルクで走行したときの走行距離を基準距離Ｌａとするとき、目標トルクＴｅａは、ＢＳＦＣボトムトルクよりも大きく、かつ、自車両が目標車速Ｖａに到るまで加速走行し、その後、クルーズ走行して基準距離Ｌａだけ走行するまでに消費される燃料量が最小となるときのトルクである。したがって、目標車速Ｖａに到達かつ基準距離Ｌａだけ走行するのに消費した燃料量を最小限に抑えることができ、燃費を最大限に高めることができる。
【００６９】
（３）走行制御部４６は、通常制御において、現時点の車速Ｖ０と要求駆動力とに応じた作動点Ｑ１が予め定められたダウンシフト線（特性ｆ２）を越えるとダウンシフトする一方、作動点Ｑ２に所定の余裕駆動力Ｆａを加算した作動点Ｑ３が予め定められたアップシフト線（特性ｆ１）を越えるとアップシフトするように変速機２を制御する（図４）。一方、走行制御部４６は、お任せ加速処理において、現時点の車速Ｖ０が、ダウンシフト線の最低車速Ｖ１以上かつアップシフト線の最低車速Ｖ２以下の範囲で予め定められたアップシフト車速（特性ｆ３）を越えるとアップシフトするように変速機２を制御する（図９）。これにより変速機２は最低車速でアップシフトすることができ、エンジン回転数の増加を抑えることができる。
【００７０】
（４）走行制御部４６は、自車両の走行抵抗Ｆｒを算出するとともに、この走行抵抗Ｆｒに基づいてアップシフト後に走行加速度が所定値以上であるか否かを判定し、所定値未満と判定すると、アップシフトを禁止する（図１３）。これにより、アップシフトにより実駆動力が減少して加速できないといった事態が生じることを防止できる。
【００７１】
（５）行動計画生成部４５は、外部センサ群３１および外界認識部４４により、自車両の前方に自動走行の対象となる前方車両が検出されないとき、お任せ加速処理用の行動計画を生成する。このため、前方車両を対象とした明確な加速要求がない最適なタイミングで、燃費向上および騒音レベル低減を実現し得るお任せ加速処理を実行できる。
【００７２】
なお、上記実施形態では、行動計画生成部４５が通常加速処理用の行動計画（第１行動計画）とお任せ加速処理用の行動計画（第２行動計画）とを生成した。特に第２行動計画には、現車速Ｖ０から目標車速Ｖａまでの加速指令が含まれるようにした。しかしながら、現時点から所定時間Ｔ先までの自車両の単位時間Δｔ毎の位置データを含むのであれば、第１行動計画はいかなるものでもよく、単位時間Δｔ毎の位置データを含まずに自車両の現車速から目標車速までの加速指令を含むのであれば、第２行動計画もいかなるものでもよい。したがって、行動計画生成部の構成は上述したものに限らない。
【００７３】
上記実施形態では、お任せ加速処理において走行制御部４６が、エンジン回転数Ｎｅに応じた最大トルクの特性ｆ１１（第１特性）とＢＳＦＣボトムトルクの特性ｆ１２（第２特性）との間の目標トルクＴｅａで自車両が目標車速まで加速走行するようにエンジン１と変速機２とを制御したが、走行制御部の構成はこれに限らない。すなわち、行動計画生成部により第１行動計画が生成されると、自車両が単位時間毎の位置データに沿って走行する一方、第２行動計画が生成されると、エンジン回転数に応じた最大トルクの特性である第１特性とエンジン回転数に応じた正味燃料消費率が最小となるトルクの特性である第２特性との間のトルクであり、かつ、単位走行距離当たりの燃料消費量が最小となる目標トルクで自車両が目標車速まで加速走行するようにエンジン１と変速機２とを制御するのであれば、走行制御部の構成はいかなるものでもよい。
【００７４】
上記実施形態では、外部センサ群３１の検出値に基づいて外界認識部４４が外界の状況を認識するようにしたが、自車両の周辺状況を検出する周辺状況検出部の構成は上述したものに限らない。上記実施形態では、行動計画に基づいて走行制御部４６が目標加速度と要求駆動力とを算出するようにしたが、行動計画生成部４５が目標加速度を算出あるいは目標加速度と要求駆動力とを算出し、算出データを行動計画に含めて出力するようにしてもよい。したがって、行動計画として出力されるデータは上述したものに限らない。
【００７５】
上記実施形態では、自動運転車両の走行用駆動源としてエンジン１を用いたが、エンジンに加えて走行モータ（電動モータ）を用いることもできる。この場合には、行動計画に応じて自動運転車両が自動運転で走行するようにエンジンと走行モータと変速機とを制御するように走行制御部を構成すればよい。上記実施形態では、有段変速機を用いる例を説明したが、無段変速機を用いた場合にも本発明を同様に適用することができる。
【００７６】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【００７７】
１  エンジン、２  変速機、１３  スロットル用アクチュエータ、２３  変速用アクチュエータ、３１  外部センサ群、４１  演算部、４４  外界認識部、４５  行動計画生成部、４６  走行制御部、１００  車両制御装置、Ｔｅａ  目標トルク、Ｌａ  基準距離
【図１】
2019084917.tif 000003
【図２】
2019084917.tif 000004
【図３】
2019084917.tif 000005
【図４】
2019084917.tif 000006
【図５】
2019084917.tif 000007
【図６】
2019084917.tif 000008
【図７】
2019084917.tif 000009
【図８】
2019084917.tif 000010
【図９】
2019084917.tif 000011
【図１０】
2019084917.tif 000012
【図１１】
2019084917.tif 000013
【図１２】
2019084917.tif 000014
【図１３】
2019084917.tif 000015